(57)【要約】【課題】  高周波電流を処置部に効率よく印加することができるだけでなく、迅速かつ容易に処置を行うことができる高周波処置具を提供すること。【解決手段】  体腔内に挿入される可撓管３と、この可撓管３の先端部に配されて、高周波電流が印加される処置部２と、を備える高周波処置具１において、前記可撓管３が、複数の導電性素線が巻回されて形成され、かつ前記処置部２に電気的に接続された多条コイル６を備え、この多条コイル６に前記高周波電流が流されることを特徴とする。【選択図】        図１
2007000169.tif 000002
【特許請求の範囲】
【請求項１】
体腔内に挿入される可撓管と、この可撓管の先端部に配されて、高周波電流が印加される処置部と、を備える高周波処置具において、
前記可撓管が、
複数の導電性素線が巻回されて形成され、かつ前記処置部に電気的に接続された多条コイルを備え、
この多条コイルに前記高周波電流が流されることを特徴とする高周波処置具。
【請求項２】
前記複数の導電性素線のうち、一の導電性素線が、他の導電性素線よりも導電性の高い素材からなり、他の導電性素線が、一の導電性素線よりも機械的特性に優れた素材からなることを特徴とする請求項１に記載の高周波処置具。
【請求項３】
前記複数の導電性素線に、これら複数の導電性素線を覆う導電部材が設けられていることを特徴とする請求項１または請求項２に記載の高周波処置具。
【請求項４】
前記可撓管に進退可能に挿通され、前記処置部に電気的に接続された操作ワイヤを備え、
前記多条コイルと前記操作ワイヤとの両方に、前記高周波電流が流されることを特徴とする請求項１から請求項３のいずれか一項に記載の高周波処置具。
【請求項５】
体腔内に挿入される可撓管と、この可撓管に進退可能に挿通された操作ワイヤと、この操作ワイヤに電気的に接続され、高周波電流が印加される処置部と、を備える高周波処置具において、
前記操作ワイヤが、複数の素材からなり、
前記複数の素材のうち、一の素材が、他の素材よりも導電性の高い素材であり、他の素材が、一の素材よりも機械的特性に優れた素材であって、
前記操作ワイヤに前記高周波電流が流されることを特徴とする高周波処置具。
【請求項６】
前記操作ワイヤが、前記一の素材からなる一の素線と、前記他の素材からなる他の素線とを備えることを特徴とする請求項５に記載の高周波処置具。
【請求項７】
前記操作ワイヤが、前記一の素線と前記他の素線とが撚り合わされた撚り線ワイヤであることを特徴とする請求項６に記載の高周波処置具。
【請求項８】
前記操作ワイヤが、前記一の素線と前記他の素線とが互いに平行に配されて構成されていることを特徴とする請求項６に記載の高周波処置具。
【請求項９】
前記操作ワイヤが、前記一の素線と前記他の素線とが互いに長さ方向に連結されて構成されていることを特徴とする請求項６に記載の高周波処置具。
【請求項１０】
前記操作ワイヤが、前記他の素材からなる芯線と、前記一の素材からなり前記芯線を覆う導電性部材と、を備えることを特徴とする請求項５に記載の高周波処置具。
【請求項１１】
前記操作ワイヤが、前記他の素材からなり長尺状に延びる樹脂部と、前記一の素材からなり前記樹脂部の内部に配されて前記樹脂部の全長にわたって延びる炭素繊維線と、を備えることを特徴とする請求項５に記載の高周波処置具。
【請求項１２】
前記可撓管が、
導電性素線が巻回されて形成され、かつ前記処置部に電気的に接続されたコイル体を備え、
前記コイル体と前記操作ワイヤとの両方に、前記高周波電流が流されることを特徴とする請求項５から請求項１１のいずれか一項に記載の高周波処置具。
【請求項１３】
体腔内に挿入される可撓管と、この可撓管の先端部に配されて、高周波電流が印加される処置部と、を備える高周波処置具において、
前記可撓管が、
導電部材によって覆われた導電性素線が巻回されて形成され、かつ前記処置部に電気的に接続されたコイル体を備え、
このコイル体に前記高周波電流が流されることを特徴とする高周波処置具。
【発明の詳細な説明】
【技術分野】
【０００１】
本発明は、内視鏡とともに用いられて、各種処置を行う高周波処置具に関するものである。
【背景技術】
【０００２】
近年、医療分野などにおいて、内視鏡によって観察画像を確認しながら各種処置を行う高周波処置具が利用されている。これら高周波処置具は、コイル体を有する可撓管と、この可撓管に進退可能に挿通された操作ワイヤと、この操作ワイヤに設けられ、高周波電源からの高周波電流が印加される処置部と、を備えているのが一般的である。
【０００３】
これら高周波処置具の中には、操作ワイヤに高周波電流を流し、この操作ワイヤを介して処置部に高周波電流を印加するものが周知となっている（例えば、特許文献１参照。）。
また、コイル体の外周に短絡用線材を巻き付け、この短絡用線材に高周波電流を流して処置部に印加するものも提案されている（例えば、特許文献２参照。）。
ここで、高周波電源からの高周波電流を処置部に効率よく供給するためには、高周波電流に対するインピーダンスをより低下させるのが好ましい。
【特許文献１】特開２００５−５８３４４号公報
【特許文献２】特開２０００−３３３９７０号公報
【発明の開示】
【発明が解決しようとする課題】
【０００４】
しかしながら、上記特許文献１に記載の高周波処置具では、操作ワイヤの特性として、引っ張り特性や回転追従特性などの機械的特性に優れたものが要求され、電流供給の効率化よりも機械的特性が優先されるため、高周波電流に対する全体のインピーダンスを低下させるにも限界がある。
一方、上記特許文献２に記載の高周波処置具では、短絡用線材により全体のインピーダンスを低下させることはできるものの、コイル体の径方向に短絡用線材を設ける必要があるため、可撓管の径が増大してしまう。そのため、操作性が悪くなるだけでなく、患者への負担が大きくなってしまうという問題がある。
【０００５】
本発明は、このような事情に鑑みてなされたものであって、高周波電流を処置部に効率よく印加することができるだけでなく、患者への負担を抑え、迅速かつ容易に処置を行うことができる高周波処置具を提供することを目的とする。
【課題を解決するための手段】
【０００６】
上記課題を解決するために、本発明は以下の手段を提供する。
本発明に係る高周波処置具は、体腔内に挿入される可撓管と、この可撓管の先端部に配されて、高周波電流が印加される処置部と、を備える高周波処置具において、前記可撓管が、複数の導電性素線が巻回されて形成され、かつ前記処置部に電気的に接続された多条コイルを備え、この多条コイルに前記高周波電流が流されることを特徴とする。
【０００７】
この高周波処置具においては、多条コイルに高周波電流を流すと、その高周波電流は、多条コイルを通って処置部に印加される。
ここで、多条コイルは、複数の導電性素線が巻回されているため、導電性素線の本数が増えた分、一条コイルよりも導電性素線の総断面積が大きくなる。また、一つ一つの導電性素線は、他の導電性素線が巻回されるスペース分を空けて巻回されるため、多条コイルの基端から先端までに巻回される長さも短くなる。そのため、多条コイルの径方向に短絡用の線材を設けることなく、多条コイルにおける高周波電流に対するインピーダンスを低減させることができる。
【０００８】
また、本発明に係る高周波処置具は、請求項１に記載の高周波処置具において、前記複数の導電性素線のうち、一の導電性素線が、他の導電性素線よりも導電性の高い素材からなり、他の導電性素線が、一の導電性素線よりも機械的特性に優れた素材からなることを特徴とする。
【０００９】
この高周波処置具においては、多条コイルに高周波電流を流すと、その高周波電流は、導電性の高い一の導電性素線を通って処置部に印加される。また、他の導電性素線により、多条コイルに必要な引っ張り強度などが確保される。
これにより、多条コイルの機械的特性を維持しつつ、多条コイルのインピーダンスを低減させることができる。
なお、「機械的特性」とは、引っ張り特性、曲げ持性、せん断特性、捻れ特性、回転追従特性、圧縮特性、衝撃特性、耐摩耗特性などをいう。
【００１０】
また、本発明に係る高周波処置具は、請求項１または請求項２に記載の高周波処置具において、前記複数の導電性素線に、これら複数の導電性素線を覆う導電部材が設けられていることを特徴とする。
【００１１】
この高周波処置具においては、多条コイルに高周波電流を流すと、その高周波電流は、主に導電部材を通って処置部に印加される。
これにより、インピーダンスを一層低減させることができる。
【００１２】
また、本発明に係る高周波処置具は、請求項１から請求項３のいずれか一項に記載の高周波処置具において、前記可撓管に進退可能に挿通され、前記処置部に電気的に接続された操作ワイヤを備え、前記多条コイルと前記操作ワイヤとの両方に、前記高周波電流が流されることを特徴とする。
【００１３】
この高周波処置具においては、多条コイルと操作ワイヤとの両方に高周波電流を流し、その高周波電流は、多条コイルと操作ワイヤとを通って処置部に印加される。
これにより、多条コイルと操作ワイヤとによって全体のインピーダンスを一層低下させることができる。
【００１４】
また、本発明に係る高周波処置具は、体腔内に挿入される可撓管と、この可撓管に進退可能に挿通された操作ワイヤと、この操作ワイヤに電気的に接続され、高周波電流が印加される処置部と、を備える高周波処置具において、前記操作ワイヤが、複数の素材からなり、前記複数の素材のうち、一の素材が、他の素材よりも導電性の高い素材であり、他の素材が、一の素材よりも機械的特性に優れた素材であって、前記操作ワイヤに前記高周波電流が流されることを特徴とする。
【００１５】
この高周波処置具においては、操作ワイヤに高周波電流を流すと、その高周波電流は、主として導電性の高い一の素材を通って処置部に印加される。また、他の素材により、操作ワイヤに必要な引っ張り強度などが確保される。
これにより、操作ワイヤの機械的特性を維持しつつ、そのインピーダンスを低減させることができる。
【００１６】
また、本発明に係る高周波処置具は、請求項５に記載の高周波処置具において、前記操作ワイヤが、前記一の素材からなる一の素線と、前記他の素材からなる他の素線とを備えることを特徴とする。
【００１７】
この高周波処置具においては、操作ワイヤに高周波電流を流すと、その高周波電流は、主として導電性の高い一の素線を通って処置部に印加される。また、他の素線により、操作ワイヤに必要な引っ張り強度などが確保される。
これにより、確実に、操作ワイヤの機械的特性を維持しつつ、そのインピーダンスを低減させることができる。
【００１８】
また、本発明に係る高周波処置具は、請求項６に記載の高周波処置具において、前記操作ワイヤが、前記一の素線と前記他の素線とが撚り合わされた撚り線ワイヤであることを特徴とする。
また、本発明に係る高周波処置具は、請求項６に記載の高周波処置具において、前記操作ワイヤが、前記一の素線と前記他の素線とが互いに平行に配されて構成されていることを特徴とする。
また、本発明に係る高周波処置具は、請求項６に記載の高周波処置具において、前記操作ワイヤが、前記一の素線と前記他の素線とが互いに長さ方向に連結されて構成されていることを特徴とする。
【００１９】
これらの高周波処置具によれば、請求項６に係る高周波処置具と同様の効果を奏することができる。
【００２０】
また、本発明に係る高周波処置具は、請求項５に記載の高周波処置具において、前記操作ワイヤが、前記他の素材からなる芯線と、前記一の素材からなり前記芯線を覆う導電性部材と、を備えることを特徴とする。
【００２１】
この高周波処置具においては、操作ワイヤに高周波電流を流すと、その高周波電流は、導電性部材を通って処置部に印加される。また、芯線により、操作ワイヤに必要な引っ張り強度などが確保される。
これにより、操作ワイヤの機械的特性を維持しつつ、そのインピーダンスを低減させることができる。
【００２２】
また、本発明に係る高周波処置具は、請求項５に記載の高周波処置具において、前記操作ワイヤが、前記他の素材からなり長尺状に延びる樹脂部と、前記一の素材からなり前記樹脂部の内部に配されて前記樹脂部の全長にわたって延びる炭素繊維線と、を備えることを特徴とする。
【００２３】
この高周波処置具においては、操作ワイヤに高周波電流を流すと、その高周波電流は、炭素繊維線を通って処置部に印加される。また、樹脂部により、操作ワイヤに必要な引っ張り強度などが確保される。
これにより、操作ワイヤの機械的特性を維持しつつ、そのインピーダンスを低減させることができる。
【００２４】
また、本発明に係る高周波処置具は、請求項５から請求項１１のいずれか一項に記載の高周波処置具において、前記可撓管が、導電性素線が巻回されて形成され、かつ前記処置部に電気的に接続されたコイル体を備え、前記コイル体と前記操作ワイヤとの両方に、前記高周波電流が流されることを特徴とする。
【００２５】
この高周波処置具においては、コイル体と操作ワイヤとの両方に高周波電流を流すと、その高周波電流は、コイル体と操作ワイヤとを通って処置部に印加される。
これにより、多条コイルと操作ワイヤとによって全体のインピーダンスを一層低下させることができる。
【００２６】
また、本発明に係る高周波処置具は、体腔内に挿入される可撓管と、この可撓管の先端部に配されて、高周波電流が印加される処置部と、を備える高周波処置具において、前記可撓管が、導電部材によって覆われた導電性素線が巻回されて形成され、かつ前記処置部に電気的に接続されたコイル体を備え、このコイル体に前記高周波電流が流されることを特徴とする。
【００２７】
この高周波処置具においては、コイル体に高周波電流を流すと、その高周波電流は、導電部材を通って処置部に印加される。
これにより、コイル体のインピーダンスを低減させることができる。
【発明の効果】
【００２８】
本発明によれば、多条コイルの径方向に短絡用の線材を設けることなく、高周波電流に対する全体のインピーダンスを低減させることができることから、高周波電流を処置部に効率よく印加することができるだけでなく、迅速かつ容易に処置を行うことができる。
【発明を実施するための最良の形態】
【００２９】
（実施形態１）
以下、本発明の第１実施形態における高周波処置具について、図面を参照して説明する。
図１において、符号１は高周波処置具を示すものである。
高周波処置具１は、可撓性を有し筒状に延びるシース部（可撓管）３を備えている。シース部３は、後述する多条コイル６を備えており、この多条コイル６の外周面には、その外周面を覆うようにして外チューブ７が設けられている。シース部３の筒孔１２を形成する多条コイル６内には、操作ワイヤ１３が挿通されている。操作ワイヤ１３は、機械的特性に優れたステンレスや鋼などの金属線からなり、シース部３に対して進退させることができるようになっている。また、シース部３の先端には、一対の鉗子片１６を有する処置部２が設けられている。鉗子片１６の基端部には、操作ワイヤ１３の先端部が接続されている。そして、操作ワイヤ１３をシース部３に対して進退させると、図２及び図３に示すように、鉗子片１６が互いに開閉するようになっている。
【００３０】
一方、シース部３の後端には、各種操作を行うための操作部８が連結されている。
操作部８は、シース部３が連結される操作先端部１１と、この操作先端部１１からシース部３の軸線方向後方に延びる操作本体部１７と、この操作本体部１７が挿通されて、操作本体部１７に対して進退可能に支持されたスライド部１８とを備えている。操作本体部１７には、不図示の高周波電源に接続するための接続部２１が設けられている。接続部２１は、柱状に延びる電極端子２２を備えており、高周波電源から延びる不図示のケーブルを接続部２１に接続することにより、そのケーブルと電極端子２２とが電気的に接続されるようになっている。
また、スライド部１８には、ワイヤ取付部２７を介して操作ワイヤ１３の基端部が取り付けられている。そして、スライド部１８を操作本体部１７に対して進退させると、操作ワイヤ１３がシース部３に対して進退するようになっている。
【００３１】
さらに、本実施形態におけるシース部３は、上記多条コイル６を備えている。多条コイル６は、図２に示すように、複数の導電性素線６ａ，６ｂ，６ｃ，６ｄが、一定の径で巻回されて形成されている。導電性素線６ａ，６ｂ，６ｃ，６ｄは、例えば、ステンレス、鋼、硬鋼、ピアノ線、銅及び銅合金、銀及び銀合金、白金及びその合金、または金などの金属線からなっている。
【００３２】
多条コイル６の先端には、環状の連結部２８が設けられており、連結部２８の先端側には、上記処置部２が設けられている。連結部２８は、金属などの導電性部材からなっており、その外表面には絶縁処理が施されている。これにより、多条コイル６と処置部２とが、連結部２８を介して電気的に接続されている。
一方、多条コイル６の基端部は、図１に示すように、電極端子２２の基端部に設けられたコイル取付部２６に固定されている。そして、このコイル取付部２６に多条コイル６が取り付けられることにより、各導電性素線６ａ，６ｂ，６ｃ，６ｄと電極端子２２とがそれぞれ電気的に接続されている。
【００３３】
次に、このように構成された本実施形態における高周波処置具１の作用について説明する。
まず、内視鏡の挿入部を被検体内に挿入し、前記挿入部を被処置部の近傍まで送り込む。さらに、前記挿入部に形成された鉗子チャンネルを介して、シース部３を被検体内に挿入し、被処置部まで送り込む。それから、高周波電源からのケーブルを接続部２１に接続する。そして、スライド部１８を退行させて鉗子片１６を互いに開いた状態にし、これら鉗子片１６の間に被処置部が配されるようにする。次いで、スライド部１８を進行させると、鉗子片１６が互いに閉じられ、被処置部が把持される。この状態で、後述するように高周波電流を処置部２に印加し、被処置部を焼灼することにより、止血や切開などの各種処置が行われる。
【００３４】
ここで、本実施形態においては、以下のようにして処置部２に高周波電流が印加される。すなわち、上述のように、高周波電源からのケーブルを接続部２１に接続すると、ケーブルと電極端子２２とが電気的に接続される。これにより、電極端子２２と処置部２とが、コイル取付部２６、多条コイル６及び連結部２８を介して電気的に接続される。このように接続された状態で、高周波電源を駆動する。すると、高周波電源からの高周波電流は、ケーブルから電極端子２２へと流れ、さらに、コイル取付部２６を介して、それぞれの導電性素線６ａ，６ｂ，６ｃ，６ｄに流れる。
【００３５】
このとき、多条コイル６が設けられたことにより、一つの素線が巻回されて形成される一条コイルに比べて導電性素線６ａ，６ｂ，６ｃ，６ｄの本数が増えたため、導電性素線６ａ，６ｂ，６ｃ，６ｄの総断面積が大きくなる。さらに、例えば導電性素線６ａは、他の導電性素線６ｂ，６ｃ，６ｄが巻回されるスペース分を空けて巻回されるため、多条コイル６の基端から先端までに巻回される導電性素線６ａの長さは短くなる。同様に、他の導電性素線６ｂ，６ｃ，６ｄの長さも短くなる。これら導電性素線６ａ，６ｂ，６ｃ，６ｄを通って、高周波電流が、連結部２８を介して処置部２に印加される。
【００３６】
以上より、本実施形態における高周波処置具１によれば、導電性素線６ａ，６ｂ，６ｃ，６ｄの総断面積が大きくなるとともに、それぞれの長さ寸法が短くなることから、多条コイル６の径方向に短絡用の線材を設けることなく、高周波電源と処置部２との間の全体のインピーダンスを低減させることができる。そのため、高周波電流を処置部２に効率よく印加することができるだけでなく、シース部３の径を維持することができ、迅速かつ容易に処置を行うことができる。
【００３７】
なお、本実施形態における高周波処置具１においては、多条コイル６に高周波電流を流す構成としたが、これに限ることはなく、多条コイル６及び操作ワイヤ１３の両方に高周波電流を流すようにしてもよい。例えば、図４に示すように、スライド部１８に接続部２１を設け、電極端子２２の基端部にワイヤ取付部２７´を設ける。そして、ワイヤ取付部２７´に操作ワイヤ１３を取り付けることにより、電極端子２２と操作ワイヤ１３とが電気的に接続される。さらに、操作ワイヤ１３の外周に、導電部材からなる接続片３１を設け、この接続片３１と多条コイル６とを接触させるようにする。そして、操作ワイヤ１３と処置部２とを電気的に接続する。これにより、操作ワイヤ１３と多条コイル６とが電気的に並列に接続される。
【００３８】
このような構成のもと、高周波電源を駆動すると、電極端子２２から操作ワイヤ１３に高周波電流が流れる。この高周波電流のうち、一部は、そのまま操作ワイヤ１３を通っていき、残りは接続片３１を介して多条コイル６を流れていく。すなわち、操作ワイヤ１３及び多条コイル６の両方に高周波電流が流れて、処置部２に印加される。
これにより、多条コイル６と操作ワイヤ１３とによって全体のインピーダンスを一層低下させることができる。
なお、多条コイル６を一条コイルにした場合、上記のように接続片３１を設けて操作ワイヤ１３に高周波電流を流しても、一条コイルのインピーダンスが格段に大きいため、一条コイルにほとんど高周波電流は流れず、そのまま操作ワイヤ１３を流れてしまう。すなわち、全体のインピーダンスはほとんど変わらない。
本高周波処置具１では、多条コイル６のインピーダンスが低下しているため、接続片３１を介して多条コイル６に多くの高周波電流が流れる。すなわち、上述のように多条コイル６と操作ワイヤ１３とで、全体のインピーダンスを一層低下させることができる。
【００３９】
また、多条コイル６及び操作ワイヤ１３の両方に高周波電流を流す構成として、接続片３１に代えて、図５に示すように、コイル用接続部３２を設けるようにしてもよい。そして、コイル取付部２６に多条コイル６を取り付けて、コイル用電極端子３３と多条コイル６とを電気的に接続する。これにより、コイル用電極端子３３と電極端子２２とを介して、多条コイル６と操作ワイヤ１３とが電気的に並列に接続される。
【００４０】
また、複数の導電性素線６ａ，６ｂ，６ｃ，６ｄが、金属線からなるとしたが、各導電性素線６ａ，６ｂ，６ｃ，６ｄが、それぞれ異なる素材によって構成されていてもよい。すなわち、導電性素線６ａ，６ｃを、導電性素線６ｂ，６ｄよりも導電性の高い素材とし、導電性素線６ｂ，６ｄを、導電性素線６ａ，６ｃよりも機械的特性に優れた素材としてもよい。例えば、導電性素線６ａ，６ｃを、銅及び銅合金、銀及び銀合金、白金及びその合金、または金などの金属線とし、導電性素線６ｂ，６ｄを、ステンレス、鋼、硬鋼、などの金属線とする。すなわち、導電性素線６ａ，６ｃは一の導電性素線として機能し、導電性素線６ｂ，６ｄは他の導電性素線として機能するものである。なお、導電性素線６ａ，６ｂ，６ｃ，６ｄの素材の組み合わせは適宜変更可能である。
【００４１】
このような構成のもと、多条コイル６に高周波電流を流すと、その高周波電流は、主に導電性素線６ａ，６ｃを通って処置部２に印加される。また、主に導電性素線６ｂ，６ｄにより、多条コイル６に必要な引っ張り特性や回転追従特性などの機械的特性が確保される。
これにより、多条コイル６の機械的特性を維持しつつ、多条コイル６のインピーダンスを低減させることができる。
【００４２】
また、図６に示すように、導電性素線６ａ，６ｂ，６ｃ，６ｄに金属メッキなどによる導電層（導電部材）９を設けるようにしてもよい。この場合、それぞれの導電性素線６ａ，６ｂ，６ｃ，６ｄに導電層９を設けてから、多条コイル６を形成してもよいし、多条コイル６を形成してから全体に導電層９を設けるようにしてもよい。これにより、全体のインピーダンスを一層低減させることができる。また、導電層９を設ける場合、多条コイル６に代えて、一条コイルを設けてもよい。この場合でも、高周波電流を導電層９に流すことができ、全体のインピーダンスを低減させることができる。
さらに、処置部２が一対の鉗子片１６を備えるとしたが、これに代えて、針状メス、スネアまたはパピロトミーナイフなどの他の処置具であってもよい。
また、本実施形態における高周波処置具１は、モノポーラ型の処置具としたが、これに限ることはなく、バイポーラ型としてもよい。
【００４３】
（実施形態２）
次に、本発明の第２の実施形態について説明する。
図７及び図８は、本発明の第２の実施形態を示したものである。
図７及び図８において、図１から図６に記載の構成要素と同一部分については同一符号を付し、その説明を省略する。
この実施形態と上記第１の実施形態とは基本的構成は同一であり、ここでは異なる点についてのみ説明する。
【００４４】
本実施形態における高周波処置具１は、一の素線３６ａと他の素線３６ｂとを有する操作ワイヤ３６を備えており、この操作ワイヤ３６は、一の素線３６ａと他の素線３６ｂとが撚り合わされた撚り線ワイヤとして構成されている。
一の素線３６ａは、他の素線３６ｂの素材よりも導電性の高い素材からなり、他の素線３６ｂは、一の素線３６ａの素材よりも機械的特性に優れた素材からなっている。例えば、一の素線３６ａは、銅及び銅合金、銀及び銀合金、白金及びその合金、または金などの金属線からなっており、他の素線３６ｂは、ステンレス、鋼、硬鋼、などの金属線からなっている。
なお、処置部２は、弾性ワイヤがループ状に形成されたスネアループ３７とされている。
【００４５】
このような構成のもと、操作ワイヤ３６に高周波電流を流すと、その高周波電流は、一の素線３６ａを通って処置部２に印加される。また、他の素線３６ｂにより、操作ワイヤ３６に必要な引っ張り特性や回転追従特性などの機械的特性が確保される。
以上より、シース部３の径方向に短絡用の線材を設けることなく、高周波電源と処置部２との間の全体のインピーダンスを低減させることができる。そのため、高周波電流を処置部２に効率よく印加することができるだけでなく、シース部３の径を維持することにより患者への負担を抑え、迅速かつ容易に処置を行うことができる。さらに、操作ワイヤ３６のインピーダンスを低減させつつ、操作ワイヤ３６の機械的特性を維持することができる。
【００４６】
なお、図８に示すように、素線３６ａ，３６ｂを合計６本設けているが、これに限ることはなく、その本数は適宜変更可能である。その場合、導電性の高い素材及び機械的特性に優れた素材の組み合わせも適宜変更可能である。
また、処置部２をスネアループ３７としたが、これに代えて、例えば、図９に示すように、針状メス３８としてもよい。なお、符号４２は一条に巻かれたコイル体を示したものである。さらに、止血鉗子やパピロトミーナイフなどの他の処置具であってもよい。
【００４７】
（実施形態３）
次に、本発明の第３の実施形態について説明する。
図１０及び図１１は、本発明の第３の実施形態を示したものである。
本実施形態における操作ワイヤ４１は、上記と同様の導電性の高い一の素線４１ａと、機械的特性に優れた他の素線４１ｂとを備えており、それら一の素線４１ａと他の素線４１ｂとがシース部３の軸線に沿って設けられている。すなわち、一の素線４１ａと他の素線４１ｂとは、互いに平行に配されている。
なお、処置部２はナイフ４３を備えており、高周波処置具１はパピロトミーナイフとして構成されている。
【００４８】
このような構成のもと、操作ワイヤ４１に高周波電流を流すと、その高周波電流は、一の素線４１ａを通って処置部２に印加される。また、他の素線４１ｂにより、操作ワイヤ４１に必要な機械的特性が確保される。
以上より、上記第２の実施形態と同様の効果を奏することができる。
【００４９】
なお、図１１において、一の素線４１ａ及び他の素線４１ｂをそれぞれ２本づつ設けているが、これに限ることはなく、その設置数は適宜変更可能である。例えば、図１２に示すように、一の素線４１ａ及び他の素線４１ｂをそれぞれ１本づつ設けるようにしてもよい。これにより、操作ワイヤ４１の構成を簡易にすることができる。
また、本実施形態においては、高周波処置具１をモノポーラ型としているが、これに代えて、図１３に示すように、バイポーラ型としてもよい。この場合、一の素線４１ａを少なくとも２本設けて、ケーブル４６のプラスとマイナスをそれぞれに接続すればよい。
【００５０】
（実施形態４）
次に、本発明の第４の実施形態について説明する。
図１４は、本発明の第４の実施形態を示したものである。
本実施形態における操作ワイヤ４７は、上記と同様の導電性の高い一の素線４７ａと、機械的特性に優れた他の素線４７ｂとを備えており、それら一の素線４７ａと他の素線４７ｂとがワイヤ連結部４８を介して長さ方向に連結されている。一の素線４７ａは操作部８側に設けられ、他の素線４７ｂは処置部２側に設けられている。
なお、ナイフ４３は、他の素線４７ｂが延長されて構成されたものである。
【００５１】
このような構成のもと、操作ワイヤ４７に高周波電流を流すと、その高周波電流は、一の素線４７ａから、ワイヤ連結部４８を介して他の素線４７ｂを通って処置部２に印加される。また、他の素線４７ｂにより、操作ワイヤ４７に必要な引っ張り特性や回転追従特性などの機械的特性が確保される。
以上より、上記第２の実施形態と同様の効果を奏することができる。
【００５２】
なお、本実施形態においては、他の素線４７ｂを延長させてナイフ４３を形成するとしたが、これに限ることはなく、ナイフ４３のみを他の素線４７ｂとして、残りを一の素線４７ａとしてもよい。この場合、ナイフ４３は、処置部２と操作ワイヤ４７とを兼用することになる。
また、ナイフ４３に代えて、針状メスやスネアループを設けるようにしてもよい。この場合も、針状メスやスネアループのみを他の素線４７ｂとすることができる。さらに、止血鉗子などの他の処置具であってもよい。
【００５３】
（実施形態５）
次に、本発明の第５の実施形態について説明する。
図１５は、本発明の第５の実施形態を示したものである。
本実施形態における操作ワイヤ５２は、機械的特性に優れた他の素材からなる芯線５３と、導電性の高い一の素材からなる導電膜（導電性部材）５１とを備えている。導電膜５１は、芯線５３の外周面に金属メッキなどにより設けられる。
このような構成のもと、操作ワイヤ５２に高周波電流を流すと、その高周波電流は、導電膜５１を通って処置部２に印加される。また、芯線５３により機械的特性が確保される。
以上より、上記第２の実施形態と同様の効果を奏することができる。
【００５４】
（実施形態６）
次に、本発明の第６の実施形態について説明する。
図１６及び図１７は、本発明の第６の実施形態を示したものである。
本実施形態における操作ワイヤ５６は、炭素繊維強化樹脂（ＣＦＲＰ）からなっている。すなわち、操作ワイヤ５６は、機械的特性に優れた他の素材からなる樹脂部５７と、導電性の高い一の素材からなる炭素繊維線５８とを備えている。炭素繊維線５８は、樹脂部５７の内部に配されて、その全長にわたって線状に延ばされている。
このような構成のもと、操作ワイヤ５６に高周波電流を流すと、その高周波電流は、炭素繊維線５８を通って処置部２に印加される。また、樹脂部５７により機械的特性が確保される。
以上より、上記第２の実施形態と同様の効果を奏することができる。
【００５５】
なお、上記第２から第６の実施形態において、操作ワイヤ３６，４１，４７，５２，５６に高周波電流を流すとしたが、これに限ることはなく、コイル体４２を設けて、このコイル体４２と操作ワイヤ３６，４１，４７，５２，５６との両方に高周波電流を流すようにしてもよい。この場合、コイル体４２を多条コイルにすれば、一層インピーダンスを低減させることができる。
なお、本発明の技術範囲は上記の実施形態に限定されるものではなく、本発明の趣旨を逸脱しない範囲において、種々の変更を加えることが可能である。
【図面の簡単な説明】
【００５６】
【図１】本発明に係る高周波処置具の第１の実施形態を示す側断面図である。
【図２】図１の処置部及びシース部の様子を拡大して示す側断面図である。
【図３】図２の鉗子片が互いに開いた様子を示す説明図である。
【図４】図１の高周波処置具の変形例を示す側断面図である。
【図５】図１の高周波処置具の他の変形例を示す側断面図である。
【図６】図１の多条コイルに導電層を設けた様子を示す断面図である。
【図７】本発明に係る高周波処置具の第２の実施形態を示す側断面図である。
【図８】図７の操作ワイヤを拡大して示す断面図である。
【図９】図７の高周波処置具の変形例を示す側断面図である。
【図１０】本発明に係る高周波処置具の第３の実施形態を示す側断面図である。
【図１１】図１０のシース部を拡大して示す断面図である。
【図１２】図１１の変形例を示す断面図である。
【図１３】図１０の変形例を示す図であって、バイポーラ型として構成した様子を示す側断面図である。
【図１４】本発明に係る高周波処置具の第４の実施形態を示す側断面図である。
【図１５】本発明に係る高周波処置具の第５の実施形態の要部を示す断面図である。
【図１６】本発明に係る高周波処置具の第６の実施形態の要部を示す断面図である。
【図１７】図１６の操作ワイヤを拡大して示す説明図である。
【符号の説明】
【００５７】
１    高周波処置具
２    処置部
３    シース部（可撓管）
６    多条コイル
６ａ，６ｃ  導電性素線（一の導電性素線）
６ｂ，６ｄ  導電性素線（他の導電性素線）
９    導電層（導電部材）
１３，３６，４１，４７，５２，５６  操作ワイヤ
３６ａ，４１ａ，４７ａ，５２ａ，５６ａ  一の素線
３６ｂ，４１ｂ，４７ｂ，５２ｂ，５６ｂ  他の素線
４２  コイル体
５１  導電膜（導電性部材）
５３  芯線
５７  樹脂部
５８  炭素繊維線
【図１】
2007000169.tif 000003
【図２】
2007000169.tif 000004
【図３】
2007000169.tif 000005
【図４】
2007000169.tif 000006
【図５】
2007000169.tif 000007
【図６】
2007000169.tif 000008
【図７】
2007000169.tif 000009
【図８】
2007000169.tif 000010
【図９】
2007000169.tif 000011
【図１０】
2007000169.tif 000012
【図１１】
2007000169.tif 000013
【図１２】
2007000169.tif 000014
【図１３】
2007000169.tif 000015
【図１４】
2007000169.tif 000016
【図１５】
2007000169.tif 000017
【図１６】
2007000169.tif 000018
【図１７】
2007000169.tif 000019